(57)【要約】【課題】機械室の床への穴あけ工事を要しないエレベータの製造方法及びエレベータを提供する。【解決手段】カゴ室と、錘と、巻き上げ機設置部に設置される巻き上げ機及び巻き上げ機の錘側に設置されるローラと、昇降路のカゴ室の昇降範囲より上方に昇降路を横断するように架け渡されるやぐら部と、カゴ室及び錘を吊るロープと、やぐら部に係止されるカゴ室側ロープ端係止部及び錘側ロープ端係止部と、を備える。カゴ室又は錘は再利用してもよい。【選択図】図１
2012144329.tif 000002
【特許請求の範囲】
【請求項１】
巻き上げ機を交換する工程と、
昇降路のエレベータ昇降範囲より上方に昇降路を横断するように架け渡されるやぐら部を設置する工程と、
カゴ室にカゴ室シーブを設置する工程と、
錘に錘シーブを設置する工程と、
交換したロープの一端を前記やぐら部のカゴ室側ロープ端係止部に係止し、前記カゴ室シーブ、前記巻き上げ機、前記錘シーブに架け渡し、他端を前記やぐら部の錘側ロープ端係止部に係止する工程と、
を含むエレベータの製造方法。
【請求項２】
巻き上げ機を交換する工程と、
吊下げ部設置部を昇降路支柱に前記昇降路支柱のカゴ室の昇降範囲の上端より上に設置する工程と、
ロープ吊下げ部を前記吊下げ部設置部に設置する工程と、
前記カゴ室にカゴ室シーブを設置する工程と、
錘に錘シーブを設置する工程と、
交換したロープの一端を前記ロープ吊下げ部の前記カゴ室側ロープ端係止部に係止し、前記カゴ室シーブ、前記巻き上げ機、前記錘シーブに架け渡し、他端を前記ロープ吊下げ部の錘側ロープ端係止部に係止する工程と、
を含むエレベータの製造方法。
【請求項３】
前記カゴ室及び前記錘の少なくとも一方が再利用されたものであることを特徴とする請求項１又は請求項２に記載のエレベータの製造方法。
【請求項４】
カゴ室と、
錘と、
前記カゴ室の昇降範囲より上方に設置される巻き上げ機と、
昇降路の前記カゴ室の昇降範囲より上方に前記昇降路を横断するように架け渡されるやぐら部と、
前記やぐら部に係止されるカゴ室側ロープ端係止部及び錘側ロープ端係止部と、
一端が前記ロープ吊下げ部の前記カゴ室側ロープ端係止部に係止され、前記カゴ室シーブ、前記巻き上げ機、前記錘シーブに架け渡され、他端が前記ロープ吊下げ部の錘側ロープ端係止部に係止されるロープと、
を備えるエレベータ。
【請求項５】
カゴ室と、
錘と、
前記カゴ室の昇降範囲より上方に設置される巻き上げ機と、
昇降路支柱に設置される吊下げ部設置部と、
前記吊下げ部設置部に設置され、昇降路側に突出する二つのロープ吊下げ部と、
二つの前記ロープ吊下げ部の一方に設置されるカゴ室側ロープ端係止部と、
二つの前記ロープ吊下げ部の他方に設置される錘側ロープ端係止部と、
一端が前記ロープ吊下げ部の前記カゴ室側ロープ端係止部に係止され、前記カゴ室シーブ、前記巻き上げ機、前記錘シーブに架け渡され、他端が前記ロープ吊下げ部の前記錘側ロープ端係止部に係止されるロープと、
を備えるエレベータ。
【請求項６】
カゴ室と、
錘と、
前記カゴ室の昇降範囲より上方に設置される巻き上げ機と、
昇降路の前記カゴ室の昇降範囲より上方に前記昇降路を横断するように架け渡されるやぐら部と、
昇降路支柱に設置される吊下げ部設置部と、
前記吊下げ部設置部に設置され、昇降路側に突出するロープ吊下げ部と、
前記やぐら部及び前記ロープ吊下げ部のいずれか一方に係止されるカゴ室側ロープ端係止部と、
前記やぐら部及び前記ロープ吊下げ部の残りの一方に係止される錘側ロープ端係止部と、
一端が前記カゴ室側ロープ端係止部に係止され、前記カゴ室シーブ、前記巻き上げ機、前記錘シーブに架け渡され、他端が前記錘側ロープ端係止部に係止されるロープと、
を備えるエレベータ。
【請求項７】
前記カゴ室及び前記錘の少なくとも一方が再利用されたものであることを特徴とする請求項４乃至請求項６のいずれか１項に記載のエレベータ。
【発明の詳細な説明】
【技術分野】
【０００１】
本発明の実施形態は、エレベータの製造方法及びエレベータに関する。
【背景技術】
【０００２】
老朽化したエレベータを改造して新規なエレベータを製造する場合がある。この老朽化したエレベータの多くは、機械室と、機械室に設置されるギア付巻き上げ機と、カゴ室と、錘と、カゴ室及び錘を繋ぐロープとを含む。
【０００３】
近年は省エネ、省スペースの要請から、大型のギア付巻き上げ機よりコンパクトなギアレス巻き上げ機が多く使用されている。従って、老朽化したエレベータを改造する場合にもこのギアレス巻き上げ機が使用されるようになってきている。
【０００４】
老朽化したエレベータを改造して新規なエレベータを製造する従来の方法は、建物から上記のエレベータが有する部材をすべて取り除き、新規な部材を取り付けることにより行われていた。
【先行技術文献】
【特許文献】
【０００５】
【特許文献１】特開２００８−２３０８０９号公報
【発明の概要】
【発明が解決しようとする課題】
【０００６】
しかし、上記の製造方法を行う場合、機械室の床にロープを通す穴をあける必要がある。すなわち、ギアレス巻き上げ機はギア付巻き上げ機に比べて巻き上げ力が小さい。従って、ローピングを１：１から１：２に変更する必要がある。ローピングを１：２に変更する場合、ロープの両端を固定するために穴が新たに必要となる。このような穴を正確な位置に機械室の床に開けるのは困難であり、工期が延びる一因となる。
【０００７】
従って、機械室の床への穴あけ工事を要しないエレベータの製造方法及びエレベータが求められている。
【課題を解決するための手段】
【０００８】
上記の課題を解決するために、一実施形態はカゴ室と、錘と、カゴ室の昇降範囲より上方に設置される巻き上げ機と、昇降路のカゴ室の昇降範囲より上方に昇降路を横断するように架け渡されるやぐら部と、やぐら部に係止されるカゴ室側ロープ端係止部及び錘側ロープ端係止部と、一端がロープ吊下げ部のカゴ室側ロープ端係止部に係止され、カゴ室シーブ、巻き上げ機、錘シーブに架け渡され、他端がロープ吊下げ部の錘側ロープ端係止部に係止されるロープと、を備えるエレベータを提供する。
【図面の簡単な説明】
【０００９】
【図１】第１の実施形態に係るエレベータの側面図である。
【図２】やぐら部の第１の設置例を示す平面図である。
【図３】やぐら部の第２の設置例を示す平面図である。
【図４】第２の実施形態に係るエレベータの側面図である。
【図５】吊下げ部設置部付近の拡大図である。
【発明を実施するための形態】
【００１０】
以下、エレベータの製造方法及びエレベータの一実施形態について、図面を用いて詳細に説明する。
【００１１】
本実施形態のエレベータは、一実施形態はカゴ室と、錘と、カゴ室の昇降範囲より上方に設置される巻き上げ機と、昇降路のカゴ室の昇降範囲より上方に昇降路を横断するように架け渡されるやぐら部と、やぐら部に係止されるカゴ室側ロープ端係止部及び錘側ロープ端係止部と、一端がロープ吊下げ部のカゴ室側ロープ端係止部に係止され、カゴ室シーブ、巻き上げ機、錘シーブに架け渡され、他端がロープ吊下げ部の錘側ロープ端係止部に係止されるロープと、を備える。
【００１２】
（第１の実施形態）
図１は、第１の実施形態に係るエレベータ１００の側面図である。図１に示すように、エレベータ１００は、乗客を乗せるカゴ室１４と、錘１８と、既設の巻き上げ機設置部２１と、巻き上げ機設置部２１に設置され、カゴ室の昇降範囲より上方に設置される巻き上げ機１６及び巻き上げ機１６の錘１８側に設置されるローラ１７と、昇降路のエレベータ昇降範囲より上方に昇降路を横断するように架け渡されるやぐら部１１と、カゴ室１４及び錘１８を吊るロープ１３と、やぐら部１１に係止されるカゴ室側ロープ端係止部１２及び錘側ロープ端係止部２０と、を備える。
【００１３】
カゴ室１４は、新規なカゴ室１４を用いても既存のカゴ室１４を再利用してもよい。カゴ室１４はロープ１３を掛けるカゴ室シーブ１５を備える。既存のカゴ室１４を再利用する場合には、カゴ室シーブ１５を新たにカゴ室１４に設置する。
【００１４】
錘１８は、新規な錘１８を用いても既存の錘１８を再利用してもよい。既存の錘１８を再利用する場合は、錘シーブ１９を新たに錘１８に設置する。
【００１５】
巻き上げ機設置部２１は既存の機械室に設置されたものを再利用できる。また、巻き上げ機設置部２１はやぐら部１１と兼用しても、新たに昇降路に設置してもよい。巻き上げ機１６は、ギアレスタイプの巻き上げ機に交換される。
【００１６】
ローラ１７は、既存のローラ１７を再利用できるほか、適宜新品に交換することができる。
【００１７】
やぐら部１１は、鋼材を用いることができる。やぐら部１１にはロープ１３を通す穴と、カゴ室側ロープ端係止部１２及び錘側ロープ端係止部２０を設置するためのボルト穴を予め設けておくことが望ましい。
【００１８】
ロープ１３は、一端がカゴ室側ロープ端係止部１２に係止され、カゴ室シーブ１５、巻き上げ機１６、ローラ１７、錘シーブ１９の順に架け渡され、他端は錘側ロープ端係止部２０に係止される。ロープ１３は既存のロープ１３と長さが異なるため、交換される。
【００１９】
図２は、やぐら部１１の第１の設置例を示す平面図である。図２に示すように、やぐら部１１は、錘側梁部１１Ａと、１本の補強梁部１１Ｂと、カゴ室側梁部１１Ｃと、を備える。
【００２０】
錘側梁部１１Ａは、昇降路３００の上端に錘側梁部１１Ａの両端を載せるスペースがある場合には、このスペースに両端を載せ、ボルトにて係止し、両端を載せるスペースがない場合には昇降路３００の側壁にボルトにて係止する。
【００２１】
補強梁部１１Ｂは、一端を錘側梁部１１Ａに乗せてボルトにて錘側梁部１１Ａに係止し、昇降路３００の上端に補強梁部１１Ｂの他端を載せるスペースがある場合には、このスペースに両端を載せ、ボルトにて係止し、他端を載せるスペースがない場合には昇降路３００の側壁にボルトにて係止する。
【００２２】
カゴ室側梁部１１Ｃは、一端を錘側梁部１１Ａに載せてボルトにて係止し、他端を補強梁部１１Ｂに載せてボルトにて係止する。
【００２３】
なお、補強梁部１１Ｂを用いない場合は、カゴ室側梁部１１Ｃは一端を錘側梁部１１Ａに載せてボルトにて係止し、昇降路３００の上端にカゴ室側梁部１１Ｃの他端を載せるスペースがある場合には、このスペースに他端を載せ、ボルトにて係止し、他端を載せるスペースがない場合には昇降路３００の側壁にボルトにて係止する。
【００２４】
図３は、やぐら部１１の第２の設置例を示す平面図である。図３に示すように、やぐら部１１は、錘側梁部１１Ａと、２本の補強梁部１１Ｂと、カゴ室側梁部１１Ｃと、を備える。
【００２５】
錘側梁部１１Ａは、昇降路の上端に錘側梁部１１Ａの両端を載せるスペースがある場合には、このスペースに両端を載せ、ボルトにて係止し、両端を載せるスペースがない場合には昇降路３００の側壁にボルトにて係止する。
【００２６】
補強梁部１１Ｂは、一端を錘側梁部１１Ａに乗せてボルトにて錘側梁部１１Ａに係止し、昇降路３００の上端に補強梁部１１Ｂの他端を載せるスペースがある場合には、このスペースに両端を載せ、ボルトにて係止し、他端を載せるスペースがない場合には昇降路３００の側壁にボルトにて係止する。２本の補強梁部１１Ｂは互いに対向して配置される。
【００２７】
カゴ室側梁部１１Ｃは、一端を錘側梁部１１Ａに載せてボルトにて係止し、他端を補強梁部１１Ｂに載せてボルトにて係止する。
【００２８】
なお、補強梁部１１Ｂを用いない場合は、昇降路３００の上端にカゴ室側梁部１１Ｃの両端を載せるスペースがある場合には、このスペースに両端を載せ、ボルトにて係止し、両端を載せるスペースがない場合には両端を昇降路３００の側壁にボルトにて係止する。
【００２９】
ここで、エレベータ１００の製造方法について説明する。本実施形態のエレベータ製造方法は、巻き上げ機１６を交換する工程と、やぐら部１１を設置する工程と、カゴ室１４にカゴ室シーブ１５を設置する工程と、錘１８に錘シーブ１９を設置する工程と、交換したロープ１３の一端をやぐら部１１のカゴ室側ロープ端係止部１２に係止し、カゴ室シーブ１５、巻き上げ機１６、錘シーブ１９に架け渡し、他端をやぐら部１１の錘側ロープ端係止部２０に係止する工程と、を含む。
【００３０】
各工程の順序は変更することができ、また上記工程のうち複数の工程を同時に実施することもできる。
【００３１】
以上のべたように、本実施形態のエレベータ１００は、カゴ室１４と、錘１８と、巻き上げ機設置部２１に設置される巻き上げ機１６及び巻き上げ機１６の錘１８側に設置されるローラ１７と、昇降路のカゴ室１４の昇降範囲より上方に昇降路を横断するように架け渡されるやぐら部１１と、カゴ室１４及び錘１８を吊るロープ１３と、やぐら部１１に係止されるカゴ室側ロープ端係止部１２及び錘側ロープ端係止部２０と、を備える。
【００３２】
従って、機械室の床に穴をあける工程を行わずに老朽化したエレベータから新規なエレベータをリニューアルして製造することが可能となるという効果がある。
【００３３】
（第２の実施形態）
図４は、第２の実施形態に係るエレベータ２００の側面図である。図４に示すように、エレベータ２００は、カゴ室１４と、錘１８と、既設の巻き上げ機設置部２１と、巻き上げ機設置部２１に設置され、カゴ室１４の昇降範囲より上方に設置される巻き上げ機１６及び巻き上げ機１６の錘１８側に設置されるローラ１７と、レールなどの昇降路支柱３０に設置される吊下げ部設置部３１と、吊下げ部設置部３１に設置される二つのロープ吊下げ部３２と、二つのロープ吊下げ部３２の一方に設置されるカゴ室側ロープ端係止部３３及び他方に設置される錘側ロープ端係止部４２と、カゴ室１４及び錘１８を吊るロープ１３と、を備える。
【００３４】
カゴ室１４は、新規なカゴ室１４を用いても既存のカゴ室１４を再利用してもよい。カゴ室１４はロープ１３を掛けるカゴ室シーブ１５を備える。既存のカゴ室１４を再利用する場合には、カゴ室シーブ１５を新たにカゴ室１４に設置する。
【００３５】
錘１８は、新規な錘１８を用いても既存の錘１８を再利用してもよい。既存の錘１８を再利用する場合は、錘シーブ１９を新たに錘１８に設置する。
【００３６】
巻き上げ機設置部２１は既存の機械室に設置されたものを再利用できる。また、巻き上げ機設置部２１はやぐら部１１と兼用しても、新たに昇降路に設置してもよい。巻き上げ機１６は、ギアレスタイプの巻き上げ機に交換される。
【００３７】
ローラ１７は、既存のローラ１７を再利用できるほか、適宜新品に交換することができる。
【００３８】
吊下げ部設置部３１は、レールなどの昇降路支柱３０のカゴ室１４の昇降範囲の上端より上に設置される。
【００３９】
ロープ吊下げ部３２は、吊下げ部設置部３１に昇降路側に突出するように設置され、ロープを挿通する穴を有する。
【００４０】
ロープ１３は、一端がカゴ室側ロープ端係止部３３に係止され、カゴ室シーブ１５、巻き上げ機１６、ローラ１７、錘シーブ１９の順に架け渡され、他端は錘側ロープ端係止部４２に係止される。ロープ１３は既存のロープ１３と長さが異なるため、交換される。
【００４１】
図５は、吊下げ部設置部３１付近の拡大図である。図５（Ａ）は吊下げ部設置部３１付近の平面図、図５（Ｂ）は吊下げ部設置部３１付近の側面図である。
【００４２】
図５に示すように、ロープ吊下げ部３２が取り付けられた吊下げ部設置部３１が昇降路支柱３０に係止具３１Ａによって取り付けられる。
【００４３】
昇降路支柱３０は、予めボルト穴を有する昇降路支柱３０を既存の昇降路支柱３０と交換しても、既存の昇降路支柱３０にボルト穴を開けてもよい。
【００４４】
吊下げ部設置部３１はボルト穴を有しボルト３２Ａによってロープ吊下げ部３２が取り付けられる。
【００４５】
ロープ吊下げ部３２は、昇降路側に突出し、カゴ室側ロープ端係止部３３及び錘側ロープ端係止部４２のいずれか一方を設置する平面部を有するロープ吊下げ板３２Ａを備える。
【００４６】
ロープ１３は、ロープ吊下げ版３２Ａが有するロープ１３を挿通する穴にロープ１３を下方から挿通され、端部にロープ１３を挿通する穴より外径の大きいアンカー３２Ｂが取り付けられる。このアンカー３２Ｂによりロープ１３はロープ吊下げ部３２に係止される。
【００４７】
ここで、エレベータ２００の製造方法について説明する。本実施形態のエレベータ製造方法は、巻き上げ機１６を交換する工程と、吊下げ部設置部３１を昇降路支柱３０に設置する工程と、ロープ吊下げ部３２を吊下げ部設置部３１に設置する工程と、カゴ室１４にカゴ室シーブ１５を設置する工程と、錘１８に錘シーブ１９を設置する工程と、交換したロープ１３の一端をロープ吊下げ部３２のカゴ室側ロープ端係止部３３に係止し、カゴ室シーブ１５、巻き上げ機１６、錘シーブ１９に架け渡し、他端をロープ吊下げ部３２の錘側ロープ端係止部４２に係止する工程と、を含む。
【００４８】
各工程の順序は変更することができ、また上記工程のうち複数の工程を同時に実施することもできる。
【００４９】
以上のべたように、本実施形態のエレベータ２００は、カゴ室１４と、錘１８と、既設の巻き上げ機設置部２１と、巻き上げ機設置部２１に設置される巻き上げ機１６及び巻き上げ機１６の錘１８側に設置されるローラ１７と、レールなどの昇降路支柱３０に設置される吊下げ部設置部３１と、吊下げ部設置部３１に設置されるロープ吊下げ部３２と、二つのロープ吊下げ部３２の一方に設置されるカゴ室側ロープ端係止部３３及び他方に設置される錘側ロープ端係止部４２と、カゴ室１４及び錘１８を吊るロープ１３と、を備える。
【００５０】
従って、やぐら部１１を設けることができない場合でもエレベータ２００を製造することができるという効果がある。
【００５１】
（第３の実施形態）
第３の実施形態のエレベータ４００は、カゴ室１４と、錘１８と、既設の巻き上げ機設置部２１と、巻き上げ機設置部２１に設置される巻き上げ機１６及び巻き上げ機１６の錘１８側に設置されるローラ１７と、昇降路のエレベータ昇降範囲より上方に昇降路を横断するように架け渡されるやぐら部１１と、カゴ室１４及び錘１８を吊るロープ１３と、やぐら部１１に係止されるカゴ室側ロープ端係止部１２及び錘側ロープ端係止部２０と、を備える。
【００５２】
第３の実施形態のエレベータ４００が第１の実施形態のエレベータ１００と異なる点は次の点であり、他は第１の実施形態のエレベータ１００と同様である。
【００５３】
エレベータ４００はレールなどの昇降路支柱３０に設置される吊下げ部設置部３１と、吊下げ部設置部３１に設置されるロープ吊下げ部３２と、をさらに備える。
【００５４】
カゴ室側ロープ端係止部１２及び錘側ロープ端係止部２０の一方はやぐら部１１に、他方はロープ吊下げ部３２に取り付けられる。
【００５５】
以上のべたように、本実施形態のエレベータ４００は、カゴ室１４と、錘１８と、既設の巻き上げ機設置部２１と、巻き上げ機設置部２１に設置される巻き上げ機１６及び巻き上げ機１６の錘１８側に設置されるローラ１７と、昇降路のエレベータ昇降範囲より上方に昇降路を横断するように架け渡されるやぐら部１１と、カゴ室１４及び錘１８を吊るロープ１３と、昇降路支柱３０に設置される吊下げ部設置部３１と、吊下げ部設置部３１に設置されるロープ吊下げ部３２と、やぐら部１１及びロープ吊下げ部３２のいずれか一方に係止されるカゴ室側ロープ端係止部１２と、やぐら部１１及びロープ吊下げ部３２の残りの他方に係止される錘側ロープ端係止部２０と、を備える。
【００５６】
従って、やぐら部１１を設置することに制約がある場合にもエレベータ４００を製造できるという効果がある。
【００５７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１１：やぐら部、
１２、３３：カゴ室側ロープ端係止部、
１６：巻き上げ機、
２０、４２：錘側ロープ端係止部、
３０：昇降路支柱、
３１：吊下げ部設置部、
３２：ロープ吊下げ部。
【図１】
2012144329.tif 000003
【図２】
2012144329.tif 000004
【図３】
2012144329.tif 000005
【図４】
2012144329.tif 000006
【図５】
2012144329.tif 000007